(57)【要約】      （修正有）【課題】設置面からの突出量を小さくすることが可能な、配線ダクト取付物を提供する。【解決手段】配線ダクトに取付られる照明装置１は、長尺に形成され、長手方向に直交する方向における一方側に収容部２が設けられるシャーシ２０と、収容部内でシャーシ２０に配設され、配線ダクトに取り付けられる給電プラグ３０と、収容部内に配設され、給電プラグ３０を介して電力が供給される電源回路１３と、を備える。そして、給電プラグ３０を配線ダクトに取り付けることで、収容部内に配線ダクト及び電源回路１３を収納する。【選択図】図１
2020167062.tif 000002
【特許請求の範囲】
【請求項１】
長尺に形成され、長手方向に直交する方向における一方側に収容部が設けられる本体部と；
前記収容部内で前記本体部に配設され、配線ダクトに取り付けられるプラグと；
前記収容部内に配設され、前記プラグを介して電力が供給される電源部と；を備え、
前記プラグを配線ダクトに取り付けることで、前記収容部内に前記配線ダクト及び前記電源部を収納することを特徴とした配線ダクト取付物。
【請求項２】
前記プラグと前記電源部は本体部の長手方向において重ならないことを特徴とした請求項１記載の配線ダクト取付物
【請求項３】
長尺に形成され、長手方向に直交する方向における一方側に収容部が設けられる本体部と；
前記収容部内に配設され、配線ダクトに取り付けられるプラグと；
前記収容部内に配設されるとともに、前記プラグを介して電力が供給される電源部と；
前記本体部の他方側に配設される発光素子と；
を備え、
前記プラグを配線ダクトに取り付けることで、前記収容部内に前記配線ダクト及び前記電源部を収納することを特徴とした照明装置。
【請求項４】
前記電源部を他方側の面、前記発光素子を一方側の面に配設する一基板と、をさらに有し、
前記電源部と前記発光素子とは前記基板を挟んで互いに重ならない位置に配設されることを特徴とした請求項３記載の照明装置。
【請求項５】
前記電源部は前記本体部の幅方向に少なくとも２つに分離して配置され、前記プラグは前記本体部の幅方向において分離して配置された前記電源部の間に配設されることを特徴とした請求項３または４記載の照明装置。
【発明の詳細な説明】
【技術分野】
【０００１】
本発明の実施形態は、配線ダクトに取り付けられる取付物に関する。
【背景技術】
【０００２】
天井などの設置面に配設された長尺のレール状の取付部材に取り付けられる照明装置が知られている。このような照明装置は、取付部材に取り付けるためのプラグが配設されており、このプラグを取付部材に固定することで、照明装置全体を取付部材に取り付け、固定される。
【０００３】
しかしこのような照明装置においては、従来の設置面に直付けされる照明装置と比較して、取付部材やプラグの厚みにより設置状態での設置面からの突出量が大きくなるという問題点があった。照明装置に限らず、設置面からの突出量が大きくなることで意匠性が悪くなる虞があった。
【先行技術文献】
【特許文献】
【０００４】
【特許文献１】特開２０１８-０７３５５５号公報
【発明の概要】
【発明が解決しようとする課題】
【０００５】
本発明は、設置面からの突出量を小さくすることが可能な、配線ダクト取付物を提供する。
【課題を解決するための手段】
【０００６】
実施形態の配線ダクト取付物は、長尺に形成され、長手方向に直交する方向における一方側に収容部が設けられる本体部と、収容部内で本体部に配設され、配線ダクトに取り付けられるプラグと、収容部内に配設され、プラグを介して電力が供給される電源部と、を備える。そして、プラグを配線ダクトに取り付けることで、収容部内に配線ダクト及び電源部を収納する。
【発明の効果】
【０００７】
実施形態の配線ダクト取付物によれば、取付物の設置面からの突出量を小さくすることが期待できる。
【図面の簡単な説明】
【０００８】
【図１】第１の実施形態の照明装置を示す断面図である。
【図２】第１の実施形態の照明装置を配線ダクトに取り付けた状態を示す断面図である。
【図３】第２の実施形態の照明装置を配線ダクトに取り付けた状態を示す断面図である。
【発明を実施するための形態】
【０００９】
以下、第１の実施形態を参照して説明する。本実施形態は、配線ダクト取付物に関する。本実施形態での配線ダクト取付物とは、配線ダクトに取付られ、配線ダクトを介して電源が供給されることで機能するものであることが望ましい。なお、以下では、配線ダクト取付物として照明装置を用いて説明する。また、照明装置からの光が照射される方向を前方、前方とは反対の方向であって、照明装置から設置面に向かう方向を後方と定義する。また、前方、後方と交差する方向を側方と定義する。
【００１０】
本実施形態における照明装置の断面構造を図１に示す。本実施形態における照明装置１は、配線ダクト１００に取り付けられる、例えば、照明装置である。配線ダクト１００は、配線レールとも呼ばれ、レール状で長尺に設けられており、天井面などの設置面に設置され、長手方向の任意の位置に電気機器を機械的および電気的に接続して使用可能としている。本実施形態における照明装置１は、この電気機器の一例である。
【００１１】
照明装置１は配線ダクト１００の取付物としての照明装置で、配線ダクト１００の長手方向の任意の位置に機械的および電気的に接続されて使用される。照明装置１は、例えば、２フィート、４フィート、８フィートの長さとする長尺な照明装置である。照明装置１は、例えば、発光領域が長手方向に沿ってライン状に連続するベースライトである。
【００１２】
照明装置１は長尺な光源ユニット１０と、光源ユニット１０が取り付けられる本体部であるシャーシ２０と、シャーシ２０に取り付けられる給電プラグユニット３０と、および光源ユニット１０を覆ってシャーシ２０に取り付けられるカバー４０とを備えている。なお、本体部であるシャーシ２０は平板で構成されることが好ましく、１枚の平板を折り曲げ加工して構成されていても良いし、複数の平板を取り付けて構成されていても良い。また、厚みのある平板で構成されていても良い。厚みのある平板の場合は、後述する給電プラグ３０をシャーシ２０に取り付ける際に、ネジ止めするための厚みを確保することができる。
【００１３】
そして、光源ユニット１０は、基板１１、この基板１１の一面１１ａに実装された発光素子（半導体発光素子）１２、および基板１１の他面１１ｂに実装された電源回路１３を備えている。電源回路１３は図示しない複数の電源回路部品から構成されている。
【００１４】
基板１１は、一面１１ａと他面１１ｂの両面に配線パターンが形成された両面実装基板が用いられている。基板１１の一面１１ａには発光素子１２を実装する配線パターンが形成され、他面１１ｂには電源回路１３を構成している電源回路部品を実装する配線パターンが形成されている。基板１１の一面１１ａの配線パターンと他面１１ｂの配線パターンとはスルーホールなどで電気的に接続されている。基板１１の一面１１ａの発光素子１２を実装する実装領域は、基板１１の長手方向に直交する幅方向の中央位置で基板１１の長手方向に沿って設けられている。
【００１５】
基板１１の他面１１ｂの電源回路１３を実装する実装領域は、基板１１の一面１１ａの発光素子１２が実装された実装領域に対応した基板１１の他面１１ｂの位置からずれた位置であって、基板１１の幅方向の中央位置から幅方向にずれた位置に設けられている。すなわち、基板１１の一面１１ａの発光素子１２の実装領域と基板１１の他面１１ｂの電源回路１３の実装領域とは、基板１１を挟んで互いに重ならない位置に設けられている。
【００１６】
発光素子１２は、面実装形のＬＥＤが用いられている。複数の発光素子１２が、基板１１の幅方向の中央位置で基板１１の長手方向に沿って１列（複数列でもよい）に実装されている。なお、発光素子１２は、面実装形であれば、ＬＥＤに限らず、例えば有機ＥＬなどの他の素子でもよい。
【００１７】
電源回路１３は、例えば交流電源などの外部電源を、発光素子１２を点灯させる直流電源などの所定の点灯電源に変換して、発光素子１２に供給するもので、外部電源を整流する整流回路、力率を改善する力率改善回路、および点灯電源を生成する降圧チョッパ回路など備えている。電源回路１３は、１つもしくは複数の発光素子１２に対して１つの電源回路１３用いられても良い。その場合、所定数の発光素子１２毎に１つずつとして複数の電源回路１３が用いられる場合がある。そのため、複数の電源回路１３が用いられていても良い。
【００１８】
電源回路１３を構成する電源回路部品には、面実装形部品が用いられている。電源回路部品は、電源回路１３の上述した各回路を構成するために、外部電源を入力するコネクタ、整流器、各種のスイッチング素子、各種のトランス、および制御部などが含まれている。電源回路１３は、これら電源回路部品を一組として備えている。コネクタは、基板１１の長手方向の外側から図示しない電源ケーブルが接続される。
【００１９】
電源回路部品は、基板１１の他面１１ｂで、基板１１の一面１１ａの発光素子１２が実装された位置に対応した基板１１の他面１１ｂの位置からずれた位置であって、基板１１の幅方向の中央位置から幅方向にずれた位置に実装されている。すなわち、基板１１の一面１１ａの発光素子１２と基板１１の他面１１ｂの電源回路部品とは、基板１１を挟んで互いに重ならない位置に実装されている。
そして、発光素子１２および電源回路１３は、基板１１に対してリフローもしくはフローはんだ付けにより実装されて電気的に接続されている。
【００２０】
電源回路部品のうち、トランスなどは、基板１１から突出高さが高く、他の電源回路部品に比べても発熱量が大きい方の発熱部品である。この発熱部品である電源回路部品の上面は例えば熱伝導シートなどの熱伝導部材を介在してシャーシ２０に熱的に接続されても良い。
【００２１】
そして、光源ユニット１０は、電源回路１３をシャーシ２０との間に配置してシャーシ２０に取り付けられる。シャーシ２０に対する光源ユニット１０の取付構造は、爪を用いた係止構造やねじ止めなどのいずれでもよい。
【００２２】
シャーシ２０は、金属製で、長尺に設けられている。シャーシ２０は設置部２１を有している。設置部２１は少なくとも、一面１１ａの発光素子１２が実装された位置に対応した基板１１の他面１１ｂの位置にて基板１１と接触する。つまり、基板１１に発光素子１２が実装された状態で、発光素子１２の裏面側の基板１１の他面１１ｂがシャーシ２０の設置部２１と接触する。このとき、基板１１とシャーシ２０は平行に接触し、その間に介在物がなく直接接続されることが望ましい。また、このシャーシ２０と基板１１の接触は、基板１１の長手方向の長さと同等（同じまたは略同じ）の長さを有している。また、シャーシ２０の幅方向の両側には、基板１１の幅方向の両側が接触するとともにカバー４０が接触して取り付けられる取付面部２２と、取付面部２２から立ち上がるシャーシ取付部２３が設けられている。
【００２３】
シャーシ２０の設置部２１と両側のシャーシ取付部２３で囲われた空間が、断面図において、四角形の上辺が開放された形となり、この空間を収容部２とする。収容部２は最も大きくなるように考えられることが望ましい。つまり、シャーシ２０において、最も前方に位置する面もしくは部位を両側方に仮想的に延長し、最も両側方に位置する面もしくは部位を前方・後方に仮想的に延長し、断面図において、これら仮想的に延長した面もしくは部位によって３辺が囲われる空間が収容部２となることが望ましい。なお、収容部２もシャーシ２０に沿って長手に形成される。
【００２４】
さらに、シャーシ２０の幅方向の取付面部２２より内側には、基板１１との間に電源回路１３を収容する囲み部２４が設けられている。囲み部２４は、設置部２１から立ち上がる両側の囲み側面部２５、およびこれら両側の囲み側面部２５の上端間に設けられる囲み上面部２６を有する断面略コ字形に形成されている。囲み部２４の内側には、電源回路１３が収容されている。囲み上面部２６の下面には、一部の電源回路１３を構成する電源回路部品が熱伝導部材を介して熱的に接続されるように構成されていても良い。
【００２５】
給電プラグ３０は、プラグ部３１、基礎部３２、操作部３３を備えており、シャーシ２０に、例えば、ネジ止めなどで取り付けられる。本実施形態において、給電プラグ３０は給電と固定の機能を有しており、基板１１の一面１１ａの発光素子１２とは基板１１とシャーシ２０を挟んで互いに重ならない位置に実装されている。しかし、この形態に限定されるものではなく、発光素子１２と重なる位置に実装されても良い。
【００２６】
また、シャーシ２０の長手方向の両端部には図示しないシャーシ端板が設けられていても良い。シャーシ端板はシャーシと同じ材質であっても、異なる材質で形成されていても良い。
【００２７】
給電プラグ３０は発光素子１２の給電のために用いられ電気が流れるため、電源回路１３と比べると少ないが発熱する虞がある。そのため、給電プラグ３０での発熱を発光素子１２が直接受けないように重ならない位置に実装することが好ましい。給電プラグ３０の発熱が無視できる場合は、重なる位置に実装しても良い。重なる位置に実装する場合は、発光素子１２の配置できる領域が広がるため、設計の自由度が上昇する。
【００２８】
プラグ部３１は、配線ダクト１００の開口部１０５の幅よりも小さい幅の突部３４、この突部３４の側面から突出する一対の係合部３５および一対の端子３６を有している。一対の係合部３５は、突部３４から反対向きに突出され、幅は配線ダクト１００の開口部１０５の幅よりも小さく突部３４と同じ幅に設けられており、配線ダクト１００の支持縁部１０６に係脱可能とする。なお、一対の係合部３５それぞれの突出方向の両端を結ぶ長さは、配線ダクト１００の開口部１０５の幅よりも大きくなるように構成されている。一対の端子３６は、突部３４から反対向きで一対の係合部３５と同じ方向に突出されており、配線ダクト１００の一対の導体１０３に接続可能とする。
【００２９】
操作部３３は、基礎部３２の側部に取り付けられており、基礎部３２の接線方向に長いレバー状に設けられている。操作部３３は、プラグ部３１を回動させ、配線ダクト１００に対しての接続位置と、接続解除位置との間で回動可能とする。例えば、プラグ部３１を回動させ、配線ダクト１００の導体１０３に対して端子３６を着脱操作するとともに、配線ダクト１００の支持縁部１０６に対して係合部３５を係合操作する。配線ダクト１００に着脱可能に取り付けることができる。
【００３０】
操作部３３によってプラグ部３１が回動し、一対の端子３６が導体１０３に接触した状態において、一対の端子３６は、光源ユニット１０の電源回路１３と電気的に接続されるように構成されている。基板１１には電源回路１３から給電プラグ３０の直下まで配線パターンが形成されている。また、給電プラグ３０の内部では、一対の端子３６から、基礎部３２の下部まで図示しない配線が設けられている。基礎部３２の下部には、この配線と電気的に接続された、例えばピン状の電極が設けられており、このピン状の電極が基板１１の配線パターンと接触することで、一対の端子３６と電源回路１３が電気的に接続される。この構成により配線ダクト１００に対して端子３６が接続された際には、電源回路１３に通電することが可能となる。このとき、基板１１と給電プラグ３０の間に配設されているシャーシ２０は、ピン状の電極が挿通される部分に孔が設けられていることが望ましい。
【００３１】
カバー４０は、透光性および拡散性を有する例えば樹脂製で、長尺に設けられている。カバー４０は、カバー本体４１と、このカバー本体４１の両端を閉塞する図示しないカバー端板を備えている。カバー本体４１の幅方向の中央域は下方に突出するように湾曲され、カバー本体４１の幅方向の両端部は互いに内側に向けて屈曲されている。カバー本体４１の幅方向の両端部には、シャーシ２０の幅方向の両側部に係合して取り付けられるカバー取付部４２が設けられている。カバー取付部４２は、シャーシ２０の取付面部２２に当接するカバー当接部４３、およびシャーシ取付部２３と係合するカバー係合部４４を有している。カバー当接部４３は、基板１１と同一平面とされており、シャーシ２０の取付面部２２に基板１１とともに取り付けられる構造となっている。シャーシ取付部２３とカバー係合部４４の係合は、爪で係合されても良いし、シャーシ取付部２３がカバー係合部４４の方向に屈曲もしくは突出しており、その屈曲部もしくは突出部で係合する構造となっていても良い。
図示しないカバー端板は、非透光性または透光性のいずれでも良く、カバー本体４１の長手方向の端部に取付けられている。
【００３２】
配線ダクト１００は、ダクト本体１０１、このダクト本体１０１内の長手方向に交差する幅方向（短手方向）の両側に配設される一対の絶縁体１０２、およびこれら絶縁体１０２に取り付けられた一対の導体１０３を備えている。また、ダクト本体１０１には、例えば、天井面といった設置面に取り付けられるダクト取付部１０４が設けられる。ダクト取付部１０４は設置面と平行に形成され、例えば、ネジやボルトを用いて、設置面とダクト取付部１０４が接触するように、配線ダクト１００が設置面に固定される。
【００３３】
ダクト本体１０１は、金属製で、略四角形の中空状に設けられている。ダクト本体１０１の下面中央には、開口部１０５が長手方向に沿って設けられている。ダクト本体１０１の下部には開口部１０５の両側に支持縁部１０６が設けられている。
一対の絶縁体１０２は、導体１０３を支持し、ダクト本体１０１内で開口部１０５の両側に配置されている。
【００３４】
一対の導体１０３は、金属板によって構成され、一対の絶縁体１０２によりダクト本体１０１内で開口部１０５の両側に互いに対向して配置されている。そして、一対の導体１０３には、交流電源や直流電源などの電気機器に供給する所定の外部電源が通電される。
【００３５】
照明装置１を組み立てる場合、一体的に構成された光源ユニット１０を、電源回路１３がシャーシ２０との間に配置されるように、シャーシ２０に取り付ける。このとき、基板１１の他面１１ｂに実装されている電源回路１３をシャーシ２０の囲み部２４に挿入する。この構成とすることで、シャーシ２０を曲げるという簡単な構成で電源回路１３を保護することができる。そして、給電プラグ３０の操作部３３をシャーシ２０に設けられた孔に挿入しつつ、挿通基板１１の他面１１ｂをシャーシ２０の設置部２１に当接させ、爪を用いた係止構造やねじ止めなどの取付構造により基板１１をシャーシ２０に取り付ける。
【００３６】
光源ユニット１０をシャーシ２０に取り付けることにより、基板１１の一面１１ａの発光素子１２が実装された位置に対応した基板１１の他面１１ｂの位置に設置部２１が接触する。また、電源回路１３がシャーシ２０の囲み部２４に収容されるとともに、基板１１の他面１１ｂ幅方向の端部の電源回路１３が実装されていない位置がシャーシ２０の取付面部２２に当接する。このとき、電源回路１３を構成する一部の部材が熱伝導部材を介してシャーシ２０の囲み上面部２６に熱的に接続されても良い。
【００３７】
その後、一体に構成されたカバー４０の幅方向の両側のカバー取付部４２を、シャーシ２０の両側部に係合して取り付ける。このとき、給電プラグ３０の操作部３３をカバー４０に設けられた孔に挿通させながら取り付ける。
なお、給電プラグ３０は光源ユニット１０にシャーシ２０とカバー４０を取り付けた後に取り付けられても良い。
【００３８】
組立て後、照明装置１を配線ダクト１００に取り付け、給電プラグ３０の操作部３３を回動操作させることにより、配線ダクト１００の導体１０３に対して端子３６を接続するとともに、配線ダクト１００の支持縁部１０６に対して係合部３５を係合させる。この操作により、照明装置１を配線ダクトに１００に固定すると共に、配線ダクト１００から照明装置１に電源が供給されることにより、電源回路１３によって外部電源を所定の点灯電源に変換して発光素子１２に供給し、発光素子１２が点灯する。発光素子１２の光は、カバー４０を透過して照明空間に照射される。
【００３９】
なお、照明装置１の長手より、配線ダクト１００の長手が長い場合は、シャーシ２０の図示しないシャーシ端板と配線ダクト１００が干渉する。そのため、照明装置１の長手より配線ダクト１００の長手が長い場合は、シャーシ端板にダクト通孔を設けても良い。ダクト通孔は配線ダクト１００の短手方向と平行な断面の寸法と同等以上の寸法で形成される。
【００４０】
本実施形態における照明装置１では、配線ダクト１００を照明装置１のシャーシ２０で囲われた領域に収納しつつ取り付けることができる。従来の照明装置では、配線ダクト１００の下部にシャーシ２０が位置するように取り付けられていた。そのため、シャーシ２０で囲まれた領域に配線ダクト１００を収納しつつ取り付けることで、設置面からの照明装置１の突出量を小さくすることができる。
なお、本実施形態では、照明装置に限定して説明を行ったが、配線ダクトに取り付けられるものであれば、この取り付け機構は適用することができる。
【００４１】
本実施形態における照明装置１では、点灯時に、発光素子１２が発生する熱は、一部は基板１１に伝わって放熱され、一部はカバー４０内の空気に伝わってカバー４０から放熱される。
【００４２】
点灯時、電源回路１３が発生する熱のうち、一部は基板１１に伝わって放熱され、一部は電源回路１３を収容する囲み部２４からシャーシ２０に伝わって放熱される。電源回路１３を構成する部品のうち、発熱量が大きいトランスなどの電源回路部品は、囲み部２４に例えば、熱伝導シートを用いて熱的に接続されることで、シャーシ２０に効率よく熱を伝達することができ、放熱性の向上が期待できる。
【００４３】
このように構成された本実施形態の照明装置１は、基板１１の一面１１ａに発光素子１２を実装するとともに他面に電源回路１３を実装して一体に構成しているため、部品点数が削減され、小形、軽量化することができる。
【００４４】
基板１１の一面１１ａの発光素子１２と基板１１の他面１１ｂの電源回路１３とは、基板１１を挟んで互いに重ならない位置に実装しているため、互いの発生する熱が干渉し合うのを低減できる。なお電源回路１３と基板１１を挟んで重ならない位置であれば、発光素子１２は１列ではなく、複数列で構成されても良い。
【００４５】
基板１１の一面１１ａの発光素子１２が実装された位置に対応した基板１１の他面１１ｂの位置に、シャーシ２０の設置部２１が接触するため、発光素子１２の熱がシャーシ２０に効率よく伝わり、発光素子１２の温度上昇を抑制できる。
【００４６】
また、本実施形態における照明装置１を配線ダクト１００に取り付けた状態で、配線ダクト１００と照明装置１のシャーシ２０もしくは基板１１が接触する構造としても良い。その場合、発光素子１２から生じた熱を基板１１やシャーシ２０を介して配線ダクト１００へ伝えることができ、発光素子１２の温度上昇を抑制できる。
シャーシ２０には基板１１との間に電源回路１３を収容する囲み部２４を設けているため、特別な電源ケースなどが必要なく、部品点数を削減できる。
【００４７】
また、長尺状の基板１１に電源回路１３を表面実装した場合、基板１１のたわみなどで電源回路１３や発光素子１２などの部品がとれてしまう虞がある。例えば、電源回路基板を別に備えている照明装置の場合、電源回路基板の長さが最低限のものにできるため、電源回路基板のたわみは少ない。本実施形態では、発光素子１２を実装する長尺状の基板１１に電源回路１３も実装するため、長尺状の基板１１が長手方向でたわみやすい。
【００４８】
本実施形態のシャーシ２０は、平板ではなく、囲み側面部２５などがシャーシ２０から起立する構造を有しているため補強され、基板１１よりも長手方向にたわみにくい。このシャーシ２０に、基板１１の長手方向と平行に設置部２１を設けており、この設置部２１と基板１１とが直接接触することにより、基板１１をたわみにくい構造とすることができる。しかも、設置部２１はその長手方向において、基板１１の長手方向の長さと同等の長さを有し、基板１１の両端まで接触することで、よりたわみにくい構造とすることができる。
【００４９】
また、基板１１とカバー４０の間に隙間がある場合は、ここから虫などが入り込んでしまう虞があり、基板１１とカバー４０は隙間がないように取り付けることが好ましい。本実施形態では、基板１１とカバー４０のカバー当接部４３を同一平面とすることで、シャーシ２０でその隙間を橋渡しするように覆う構造としている。この構造により、基板１１とカバー４０の間に例えばパッキンといった部材を設けることなく、また、シャーシ２０にさらなる段差などを設けることなく、隙間を埋めることができる。
【００５０】
次に、図３に第２の実施形態を示す。第２の実施形態においては、給電プラグ３０と光源ユニット１０の基板１１の一面１１ａに実装される発光素子１２とが、基板１１の幅方向の中央に実装されている。そのため、照明装置１の中央部において配線ダクト１００に取り付けられる。
【００５１】
この場合、電源回路１３は、基板１１の他面１１ｂで、基板１１の一面１１ａの発光素子１２が実装された位置に対応した基板１１の他面１１ｂの位置からずれた位置であって、基板１１の幅方向の両端側に実装されている。すなわち、基板１１の一面１１ａの各列の発光素子１２と基板１１の他面１１ｂの電源回路１３とは、基板１１を挟んで互いに重ならない位置に実装されている。電源回路１３を囲う囲み部２４についても、電源回路１３に対応して、両端側の２箇所に設けられている。
【００５２】
照明装置１の幅方向の片側において配線ダクト１００に取り付けられる構成では、照明装置１の重量によっては取り付けた際に傾いてしまうという問題点がある。照明装置１の中央部において配線ダクト１００に取り付けられることにより、照明装置１の傾きを抑制することが期待できる。
【００５３】
なお、第２の実施形態においては、電源回路１３は基板の幅方向の片側のみに実装される構造でも良い。その場合、電源回路１３が実装されていない側においても囲み部２４が形成されていても良い。給電プラグ３０の両側に囲み部２４が存在している場合、給電プラグ３０の位置合わせを用意に行うことができる。
【００５４】
また、第２の実施形態において、電源回路１３を基板の幅方向の両側に実装する場合、給電プラグ３０の操作部３３の取り出しを阻害しないように電源回路１３を実装する必要がある。給電プラグ３０の近傍では、給電プラグ３０の操作部３３を取り出す方向において給電プラグ３０と電源回路１３が重ならない位置にあることが望ましい。
【００５５】
なお、第１の実施形態でも第２の実施形態でも、給電プラグ３０を基板１１の幅方向ではない長さ方向の端部に設け、基板１１の長さ方向に操作部３３を取り出す構成としても良い。その場合、フレーム２０やカバー４０に操作部３３を取り出すための孔を設ける必要がなく組立て性が良い。また第２の実施形態においては、電源回路１３の配置に制限がなくなるため構造の簡易化が期待できる。
【００５６】
これらの実施形態においては、配線ダクト１００を照明装置１に収納するように照明装置１は構成されている。この構成により、設置面からの照明器具１の突出量を小さくすることが可能となるとともに、照明装置１を設置面に取り付けた状態での薄型化が実現できる。
【００５７】
本実施形態においては、両端のシャーシ取付部２３で挟まれた領域を収容部２とする。収容部２は、長尺に形成された本体部において、本体部の長手方向と直交する高さ方向の一方側に形成される。本実施形態では収容部２には、電源回路１３、給電プラグ３０、シャーシ２０の囲み部２４、囲み側面部２５、囲み上面部２６などが配設されている。また、配線ダクト１００に照明装置１を取り付けた状態においては、配線ダクト１００も収容部２に収納される。
【００５８】
配線ダクト１００を照明装置１に収納した際は、配線ダクト１００と電源回路１３が干渉しない位置に電源回路１３を配設する。そのため、電源回路１３の配置に柔軟性を持たせることができる、本実施形態の構成が好ましい。例えば、配線ダクト１００と長手方向に平行に長尺に電源回路１３が配設されても良いし、配線ダクト１００の両サイドに電源回路１３が位置するように電源回路１３が配設されても良い。なお、配線ダクト１００の一対の導体１０３と干渉しないのであれば、配線ダクト１００に収容されるように電源回路１３が形成されても良い。この場合、例えば、配線ダクトの開口部１０５の幅に収まる幅かつ、給電プラグ３０と干渉しない位置に長尺に電源回路１３が配設される。
【００５９】
なお、電源回路１３は基板１１の他面１１ｂに実装される形態でなくても良い。例えば、電源回路１３をカバーで覆った電源装置を構成し、電源装置を基板１１の他面１１ｂに配設しても良いし、電源装置をシャーシ２０に配設しても良い。電源装置をシャーシ２０に配設する場合は、シャーシ２０に囲み部２４、囲み側面部２５、囲み上面部２６は形成せず、設置部２１を延長して取付面部２２とそのまま繋がる構造とすることが望ましい。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１  照明装置
２  収容部
１０  光源ユニット
２０  シャーシ
３０  給電プラグ
４０  カバー
【図１】
2020167062.tif 000003
【図２】
2020167062.tif 000004
【図３】
2020167062.tif 000005